Podtech/llm-jp-corpus-v4-ja_patent huggingface dataset:
(57)【要約】【課題】部品点数の減少、キャップを嵌めないことによる作業性の向上が図れ、コストも低減できる内燃機関の点火コイル用プラグソケットを提供する。【解決手段】底にスパークプラグを取付けたエンジンのシリンダブロックのプラグホールの上に固定され、高電圧が誘起される高圧端子を内部に有する高圧筒部を上記プラグホール中に上から突入させ、上記高圧端子に誘起される高電圧を、絶縁外筒１１中に設けられたノイズ防止用抵抗１４と、このノイズ防止用抵抗１４に上下から各端部が接触する上下のコイルバネ１２，１３を介してスパークプラグに供給する内燃機関の点火コイル用プラグソケット１０において、上下のコイルバネ１２，１３の、上記ノイズ防止用抵抗１４と接触する各端部に円錐形の拡張部１２ａ，１３ａを設け、この両拡張部１２ａ，１３ａによって上下からノイズ防止用抵抗１４を挟むようにする。【選択図】  図１
2004360541.tif 000002
【特許請求の範囲】
【請求項１】
底にスパークプラグを取付けたエンジンのシリンダブロックのプラグホールの上に固定され、高電圧が誘起される高圧端子を内部に有する高圧筒部を上記プラグホール中に上から突入させ、上記高圧端子に誘起される高電圧を、絶縁外筒中に設けられたノイズ防止用抵抗と、このノイズ防止用抵抗に上下から各端部が接触する上下のコイルバネを介してスパークプラグに供給する内燃機関の点火コイル用プラグソケットにおいて、
上下のコイルバネの、上記ノイズ防止用抵抗と接触する各端部に円錐形の拡張部を設け、この両拡張部によって上下からノイズ防止用抵抗を挟むようにした、ことを特徴とする内燃機関の点火コイル用プラグソケット。
【発明の詳細な説明】
【０００１】
【発明の属する技術分野】
本発明は、高圧端子に誘起される高電圧を、スパークプラグに供給する内燃機関の点火コイル用プラグソケットに関する。
【０００２】
【従来の技術】
上記した内燃機関の点火コイル用プラグソケットは、底にスパークプラグを取付けたエンジンのシリンダブロックのプラグホールの上に固定され、高電圧が誘起される高圧端子を内部に有する高圧筒部を上記プラグホール中に上から突入させ、上記高圧端子に誘起される高電圧を、絶縁外筒中に設けられたノイズ防止用抵抗と、このノイズ防止用抵抗に上下から各端部が接触する上下のコイルバネを介してスパークプラグに供給する構成とされている（例えば、特許文献１参照。）。
【０００３】
【特許文献１】
特願２００２−１７９３９６（段落〔００１１〕、〔００１２〕、図２）
【０００４】
【発明が解決しようとする課題】
上記した内燃機関の点火コイル用プラグソケットではノイズ防止用抵抗の両端を導電性のキャップの内部に固定し、両端のキャップに対してコイルバネの各端部を固定するので、キャップの成形、キャップとノイズ防止用抵抗の各端部の固定、各キャップとコイルバネとの固定に手数を要し、生産性が悪い。
【０００５】
【課題を解決するための手段】
本発明は、上記問題点を解消するためのもので、上下のコイルバネの、上記ノイズ防止用抵抗と接触する各端部に円錐形の拡張部を設け、この両拡張部によって上下からノイズ防止用抵抗を挟むようにしたことを特徴とする。
【０００６】
【発明の実施の形態】
図１は本発明に係るプラグソケットの一実施形態を示し、このプラグソケット１０は周知のようにゴム、プラスチックなどの電気絶縁体から成形した絶縁外筒１１と、上記絶縁外筒１１の中空部中に配設された上部コイルバネ１２と下部コイルバネ１３、及び両コイルバネ１２，１３の間に位置するノイズ防止用抵抗１４とからなる。
【０００７】
上部コイルバネ１２の上端部は、絶縁外筒１１の上端部に形成されて点火コイルの高圧筒部（図示省略）を受入れ、この高圧筒部を弾性的に保持する大径な高圧筒嵌合部１５中に位置し、高圧筒部が嵌合したとき、高圧筒部内に設けられた高圧端子と電気的に接触する。
【０００８】
下部コイルバネ１３の下端は、絶縁外筒１１の下端部に形成され、エンジンのシリンダブロックのプラグホールの底から上に突出するスパークプラグ（図示省略）を受入れて弾性的に保持する大径なプラグ嵌合部１６中に位置し、スパークプラグに上から嵌合したとき、スパークプラグの頂部電極と電気的に接触する。
【０００９】
ノイズ防止用抵抗１４に上と下から電気的に接触すべき上部コイルバネ１２の下端部と、下部コイルバネ１３の上端部には、図２に示すように、円錐形の拡張部１２ａと拡張部１３ａが形成してある。
【００１０】
上部コイルバネ１２の下端部の拡張部１２ａは、下向きの螺旋状に直径が拡張するように巻成され、ノイズ防止用抵抗１４の上端部を受入れる。
【００１１】
又、下部コイルバネ１３の上端部の拡張部１３ａは、上向きの螺旋状に直径が拡張するように巻成され、ノイズ防止用抵抗１４の下端部を受入れる。
【００１２】
絶縁外筒１１の内周には、下部コイルバネ１３の上端部の拡張部１３ａの途中を受止める段１１′を設け、この段１１′から下の内径を、段１１′から上の内径よりも小さくし、下部コイルバネ１３が絶縁外筒１１の下端より抜け落ちるのを防ぐことが好ましい。このようにしておくと、絶縁外筒１１の高圧筒嵌合部１５を点火コイルの高圧筒部に下から嵌合し、上記高圧筒部が上部コイルバネ１２、ノイズ防止用抵抗１４を介して下部コイルバネ１３を下向きに弾圧しても、下部コイルバネ１３は絶縁外筒１１の下端から抜け落ちない。そして、下部コイルバネ１３の下端は、絶縁外筒１１のプラグ嵌合部１６をシリンダブロックのプラグホールの底から立つスパークプラグに上から被せたとき、スパークプラグの頂部電柱に上から弾性的に接触する。
【００１３】
【発明の効果】
以上で明らかなように、本発明によれば、ノイズ防止用抵抗の上端部に上から被せるキャップと、上記ノイズ防止用抵抗の下端部に下から被せるキャップを成形する必要が無くなり、上部と下部の両コイルバネで直接、ノイズ防止用抵抗を固定するので、部品点数の減少、キャップを嵌めないことによる作業性の向上が図れ、コストも低減できる。
【図面の簡単な説明】
【図１】本発明によるプラグソケットの一実施形態の断面図である。
【図２】図１の要部の分解斜視図である。
【符号の説明】
１０    プラグソケット
１１    絶縁外筒
１２    上部コイルバネ
１２ａ  上部コイルバネの下端部の拡張部
１３    下部コイルバネ
１３ａ  下部コイルバネの上端部の拡張部
１４    ノイズ防止用抵抗
【図１】
2004360541.tif 000003
【図２】
2004360541.tif 000004
(57)【要約】【課題】雪庇の発生防止機能向上。【解決手段】少なくとも下側に湾曲面４を有し、中途部から上端部３を厚み方向に弾性変形させる。【選択図】  図２
2004360323.tif 000002
【特許請求の範囲】
【請求項１】
装置全体を一体形成してなり、少なくとも下側に湾曲面を有し、中途部から上端部が厚み方向に弾性変形するようにしていることを特徴とする雪庇防止装置。
【請求項２】
下端部から上端部まで湾曲面としていることを特徴とする請求項１に記載の雪庇防止装置。
【請求項３】
弾性変形する範囲が全高の１／２〜１／３であることを特徴とする請求項１又は請求項２に記載の雪庇防止装置。
【請求項４】
弾性変形の変形量を規制する規制手段を備えていることを特徴とする請求項１ないし請求項３いずれか１項に記載の雪庇防止装置。
【発明の詳細な説明】
【０００１】
【発明の属する技術分野】
本発明は、建築物の縁部分に形成される雪庇の防止装置に関する。
【０００２】
【従来の技術】
雪庇防止装置の先行技術として、風を誘導する所定角度を持った傾斜面の頂部に上方に突出する雪切板が植設されている構造のものがあり、この雪切板によって傾斜面に積もった雪の粘着性を軽減し、雪庇が成長する前に落下させるようにしたものである。（たとえば、特許文献１参照）
【０００３】
【特許文献１】
特公平３−４０７８３号（第２ページ３列８行〜１８行、第１図および第２図）
【０００４】
しかしながら、特許文献１に記載の装置では、雪の粘着性が高い場合や降雪量が多い場合においては、雪庇の成長前に雪を落下させることが困難になってしまう可能性がある。
【０００５】
【発明が解決しようとする課題】
そこで、本発明は、雪庇の発生防止機能の向上を課題とし、この課題を解決した雪庇防止装置の提供を目的とする。
【０００６】
【課題を解決するための手段】
上記した目的を達成するために本発明は下記の技術的手段を採用した。
その技術的手段は、装置全体を一体形成してなり、少なくとも下側に湾曲面を有し、中途部から上端部が厚み方向に弾性変形するようにしていることを特徴とする雪庇防止装置である。（請求項１）
【０００７】
本発明によれば、中途部から上端部が風によって弾性変形するとともに、自身の弾性および風力の強弱によって振れることによって、貼り付こうとする雪を振り落とすことができる。
また、湾曲面によって風の上方への誘導がスムースであるので、中途部から上端部の弾性変形を効率よく行うことができる。
したがって、雪庇の発生防止機能が向上した雪庇防止装置を提供できる。
さらに、装置全体が一体形成してあるので、装置の形成が極めて簡単に行える。
したがって、製作コストの削減が可能となって、安価な装置を提供することができる。
【０００８】
【発明の実施の形態】
湾曲面の範囲としては、少なくとも下側にあればよいが、好適には下端部から上端部まで湾曲面とすることである。（請求項２）
請求項２の発明によれば、下端部から上端部までの形状が一様であるのでさらに容易である上に、風のスムースな誘導について効果的である。
過度な変形や変形量の不足を抑制するには、弾性変形する範囲を全高の１／２〜１／３とすることが好ましい。（請求項３）
また、装置の設置場所によっては、風速が安定せず突風が吹くような場合があって、過度な変形による破損の可能性があるため、弾性変形の変形量を規制する規制手段を備えることが好適である。（請求項４）
【０００９】
【実施例】
以下、本発明の実施例を図面に基づいて説明する。
実施例の雪庇防止装置１は、図１に示すように、長手方向（建築物の上縁に沿う方向）に定尺のものであり、複数の雪庇防止装置１を建築物Ａの上縁Ａ１に沿って相互に一定間隔をもって前記上縁Ａ１に固定状に取付けている。
本実施例の雪庇防止装置１の大きさは、全幅（長手方向）９１０ｍｍ、全高９００ｍｍ、奥行き（短手方向）２３０ｍｍである。
なお、雪庇防止装置の大きさは、例示した寸法に限定されるものではなく、建築物の大きさに対応させて変動する。
【００１０】
雪庇防止装置１の構造を具体的に説明すると、図１および図２に示すように、雪庇防止装置１は、下端部２から上端部３まで湾曲面４とする薄状金属板であり、建築物Ａの上縁Ａ１に取付けるときに、上端部３が上向きとなるようにしてある。
薄状金属板は、無風状態においては変形せず、風によって弾性変形する程度の弾性力を有するものである。
【００１１】
下端部２は、湾曲面４の下端部近くから折り曲げて下向きにしてあり、これによって形成された垂下がり部５によって、風の通抜けを抑制して風を湾曲面４に沿って上方に案内するようにしている。
雪庇防止装置１の取付けは、雪庇防止装置１の裏面１１に固定されたアングル６を建築物Ａに固定することによって取付けるようにしている。
アングル６の上端６１の位置は、湾曲面４の上端部３から下側部分が全高の１／３の長さになる位置にしてあり、湾曲面４の上端部３の下側部分１／３を弾性変形する部分（以下、「振り落とし部７」という）としている。
符号１２は、アングル６を隠す隠し板であり、アングル６に固定してある。
【００１２】
振り落とし部７は、図２に示すように、風によって弾性変形し、風力の強弱によって、厚み方向に振れるようにしている。
符号８は、振り落とし部７の弾性変形を規制する規制手段である。
規制手段８は、各雪庇防止装置１の振り落とし部７に亘って張られた連結ワイヤ８１と、連結ワイヤ８１と建築物Ａに亘って張られた支持ワイヤ８２とから構成している。
つまり、風によって弾性変形しようとする振り落とし部７を、支持ワイヤ８２が連結ワイヤ８１を介して引っ張ることによって、振り落とし部７の弾性変形を規制して過度な変形による破損を防止することができる。
また、風の強弱と支持ワイヤ８２の引っ張り力の相互作用によって、振り落とし部７の振れを効率よく行うことができる。
【００１３】
本実施例の雪庇防止装置１によれば、風と共に吹き付けられる雪を上方に誘導するとともに、湾曲面に貼り付こうとする雪を、振り落とし部７の弾性変形による振れによって振り落とすことができる。
さらに、装置全体が一体形成してあるので、装置の形成が極めて簡単に行え、製作コストの削減に大きく寄与する。
したがって、雪庇の発生防止機能が向上した雪庇防止装置１を、安価に提供することができる。
【００１４】
なお、本発明は、前記実施例で例示した構成に限定するものではなく、特許請求の範囲された内容から逸脱しない範囲で他の構成による実施が可能である。
たとえば、前記実施例では、複数の雪庇防止装置を並べるようにしたものであるが、建築物の上縁に沿って長手方向一体とする構成でもよい。
【図面の簡単な説明】
【図１】本発明に係る雪庇防止装置の使用状態の一例を示す。
【図２】図１の（２）−（２）線断面図。
【符号の説明】
Ａ：建築物
Ａ１：上縁
１：雪庇防止装置
２：下端部
３：上端部
４：湾曲面
７：振り落とし部
８：規制手段
８１：連結ワイヤ
８２：支持ワイヤ
【図１】
2004360323.tif 000003
【図２】
2004360323.tif 000004
(57)【要約】【課題】本発明は、電子レンジによって調理するために使用する食材容器の出し入れの取扱いを円滑かつ安全に行うためのトレーを提供することを目的とするものである。【解決手段】本発明は、表面を不滑性材によって構成する電子レンジ用のトレーである。また、前記トレー１の上面部４に吸着性を有する耐熱性合成樹脂材によって成形したマット５を設けたものである。さらに、前記マットの表面には凹凸部６を形成したものである。このトレーの上面周縁部２には切欠凹溝２’，２’を設ける。【選択図】    図１
2004360980.tif 000002
【特許請求の範囲】
【請求項１】
表面を不滑性材によって構成したことを特徴とする電子レンジトレー。
【請求項２】
吸着性を有する耐熱性合成樹脂材によって成形したマットを上面に設けて成る電子レンジトレー。
【請求項３】
凹凸表面を形成したマットから成る請求項２に記載した電子レンジトレー。
【発明の詳細な説明】
【０００１】
【発明の属する技術分野】
本発明は、電子レンジ内で使用するトレーに関するものである。
【０００２】
【従来の技術】
電子レンジは今日普及しているが、その利用者にとっての悩みの一つに、テーブル（回転式・固定式）上に食材収容の容器を置いて調理する時に、加熱した前記容器が取り出しにくくなったり、取り出そうとするときに食材容器を持ち上げなければならないことによって容器が滑り落ちる等の欠点があった。
【０００３】
そこで、このような欠点のうち前者の欠点を除去しようと、（１）特許３０５３８０４号に係る発明（特許文献１参照）や（２）特開２００２−３０６３２７号に係る発明（特許文献２参照）が公開されているが、（１）の特許発明は底面に環状リブとエアベントを設けたアルミニウム製の補助トレーに関するものであり、このトレー上に食材容器を置いて加熱後に取り出す際の安全性や安定性は考慮していないものであり、（２）の発明は吹きこぼれが生じても安全かつ安定してトレー上の容器を運搬することに関するものであり、いずれもトレー上の食材容器を確実かつ迅速に取り出すことができるようなものではなかった。
【０００４】
【特許文献１】
特許第３０５３８０４号公報（図５，図６、段落０００９〜段落００１４）
【特許文献２】
特開２００２−３０６３２７号公報（図５，図６、段落００３１〜段落００３８）
【０００５】
【発明が解決しようとする課題】
そこで、本発明は、電子レンジのテーブルに載せたトレー上の食材容器には直接手を触れることなく、これを確実かつ迅速に取り出すことができるとともに、容器の取り出し時の滑り落ちを確実に防止することを目的とするものである。
【０００６】
【課題を解決するための手段】
本発明は、表面を不滑性材によって構成したトレーである。
【０００７】
【発明の実施の形態】
いま電子レンジのテーブル上に置いたトレーの上面に本マットを載置する。すると、このマット自体は吸着性を有するものであるから、トレーの表面に吸着状態を保持し、揺動することはない。
【０００８】
そこで、食材を収容した容器を、テーブル上のトレーのマット上に載せた後、レンジのスイッチを入れて加熱する。
【０００９】
所定時間後に、食材容器を取り出すときは、トレーの周縁部の一部を手で持ち上げて引き出すが、容器の底面は前記マットの上面に接したままの状態にあるから、容器を取り出すためにトレーの一部を持ち上げても、容器はトレー面から滑り落ちることはなく、そのマット面に密着して傾斜状態を保持した状態で外部に取り出せるようになる。
【００１０】
【実施例】
１は任意形状に成るトレーで、このトレーの上面周縁部２には切欠凹溝２’，２’を設けるとともに底面周縁部３にも切欠凹溝３’，３’を設ける。
【００１１】
５は前記トレー１の上面部４に敷置するマットで、このマットは吸着性と耐熱性のある合成樹脂材によって構成する。
【００１２】
６は前記マット５の表面に形成した凹凸部で、この凹凸部は円形に形成しても、点形に形成しても任意である。
【００１３】
このように、本発明のトレーの上面部に吸着性がありかつ凹凸面を形成したマットを設けるのは、不滑性面を構成することにある。したがって、不滑性面を構成するためには、特殊剤によるコーティングを施してもよい。
【００１４】
ａは電子レンジ体、ｂはレンジ体内のテーブル、ｃは食材容器である。
【００１５】
【発明の効果】
本発明は、以上のような構成及び作用を有するものであるため、次の効果がある。
【００１６】
第１に、食材を収容した容器の材料は何んであろうと、トレーの上面に置いたマットが吸着性がありかつ凹凸表面に成るものであるから、マット上に載置した食材容器は取り出すときにトレーの一部を持ち上げて傾斜させても、その定位置から揺動したり滑動したりすることなく密着状態を保持しておくことができ、傾けられたままレンジ内部から取り出して食卓におくことができる。
【００１７】
第２に、トレーには上面部及び底面部の周縁部にはそれぞれ切欠凹溝を形成しているから、放熱効果を発揮することができ、食材容器は加熱してもトレー自体は加熱されることはなく、調理後に簡単かつ円滑に取り出すことができるようになる。
【図面の簡単な説明】
【図１】要部の各平斜視図
【図２】要部の平面図
【図３】図２のＡ−Ａ線断面図
【図４】要部の底斜視図
【図５】使用例を示した斜視図
【符号の説明】
１                    トレー
２’                  上面周縁部の切欠凹溝
３’                  底面周縁部の切欠凹溝
５                    マット
６                    凹凸部
【図１】
2004360980.tif 000003
【図２】
2004360980.tif 000004
【図３】
2004360980.tif 000005
【図４】
2004360980.tif 000006
【図５】
2004360980.tif 000007
(57)【要約】      （修正有）【課題】古くなった既設の歩車道境界ブロックの補修において、新品に換えるよりも、工期を短縮しコストを削減する。【解決手段】破損したり又上下した既設の歩車道境界ブロック１の表面を、削り２、コウキング３して補修する。【選択図】  図１
2004360427.tif 000002
【特許請求の範囲】
【請求項１】
破損したり又上下した既設の、歩車道境界ブロックの表面を削りコウキングして補修するシステム。
【請求項２】
請求項１のコウキングの色は、自由に出来る。
【発明の詳細な説明】
【産業上の利用分野】古くなった既設の、歩車道境界ブロックを補修する時、従来のように新品に変えるよりコストを削減できる。
【従来の技術】新品に変える。
【発明が解決しようとする課題】新品に変えるよりも、工期と人権費と材料費を短縮及び、削減できる。
【作用】工期と人権費と材料費を短縮及び、削減でき、ブロックの色を自由に選択できる。
【実施例】ない。
【発明の効果】歩車道境界ブロックを簡単に補修できる。
【図面の簡単な説明】
【図１】は、破損した既設の、歩車道境界ブロックが補修
される段階を表わした図面。
【図１】
2004360427.tif 000003
(57)【要約】      （修正有）【課題】太陽電池を取付けた引戸及びドアを提供する。【解決手段】引戸及びドアの枠体１に太陽電池本体３をはめ込みさらにコンセント又は出力コネクタ端子５を具備した電源コントローラー４を設ける。【選択図】  図１
2004360421.tif 000002
【特許請求の範囲】
【請求項１】
太陽電池を枠内に具備したことを特徴とする引戸及びドア
【請求項２】
請求項１の引戸で、電力調整器、電力変換器、及び出力コンセントを具備した引戸及びドア
【発明の詳細な説明】
【０００１】
【発明の属する技術分野】
この発明は、太陽電池を具備した引戸やドアに関するものである。
【０００２】
【従来の技術】
従来、建築物の屋根など屋外に太陽電池を取付けて使用する例はあったが、引戸やドアに取付て使用する例はなかった。
【０００３】
【発明が解決しようとする課題】
従来太陽電池を取付ける際、次のような課題があった。
（イ）  太陽電池を取付けるときに専用の架台や金具を使用する必要があった。
（ロ）  屋外に設置するには屋根などの様に大きな設置スペースを必要とした。
（ハ）  太陽電池で発電した電気を電気器具などに使用するには、電圧を調整したり、交流の電気に変換する装置や蓄電装置などを別途設置して接続する必要があるため設置場所に制限があった。
この発明は、以上の課題を解決するためのものである。
【０００４】
【課題を解決するための手段】
引戸及びドアの枠体（１）に太陽電池本体（３）をはめ込みさらにコンセント又は出力コネクタ端子（５）を具備した電源コントローラー（４）を設ける。
【０００５】
【発明の実施形態】
引戸及びドアの枠体（１）にあるガラス又はアルミ板など（２）の一部分、若しくは全ての部分を太陽電池（３）で置き換えるように設置する。太陽電池（３）で発電された直流電力を調整する機能を有する電源コントローラー（４）を太陽電池本体（３）に設ける。電源コントローラー（４）で調整された電力はコンセント又は出力コネクタ端子（５）より直流、交流問わずさまざまな電気器具など（６）に使用できる。既に建築物に設置されている引戸及び枠体（１）にあるガラス又はアルミ板など（２）と太陽電池（３）を交換して設置することもできる。
【０００６】
【発明の効果】
（イ）本発明を使用することで、大掛かりな設置工事を施すことなく、予め組み込まれた太陽電池によって、引戸等より電力を得ることが出来る。
（ロ）（イ）により得られた電力を引戸等に組み込まれた電源コントローラ（４）とコンセント又は出力コネクター端子（５）により直接さまざまな電気機器に使用できるため、他に付帯設備を設置することなく、引戸取付後、即使用が可能である。
【図面の簡単な説明】
【図１】本発明の電気器具などへの利用実施例を示す斜視図である。
【符号の説明】
１  枠体
２  ガラス又はアルミ板など
３  太陽電池
４  電源コントローラー
５  コンセント又は出力コネクタ端子
６  電気器具など
【図１】
2004360421.tif 000003
(57)【要約】【課題】侵入水を受け入れて浮上する浮上式水防板は設置場所の設置長さ、納まりに、経済的に長さ１０メートル程度と限度があり、ニーズは何倍もの大型化しています。従来型では対応が出来ません。【解決手段】高さ、長さに応じて要所に浮上式水防板の上部の中心付近に可動式控え柱（１）の端部を取り付ける回転ピン（３）を取り付けて可動式控え柱（１）を取り付ける。可動式控え柱（１）のもう一方の端部は斜めに、つっぱる為に水防板の浮上に伴い連動して斜めになった可動式控え柱が逆戻りしないように埋め込み固定したラチェット（２）にて支持する。上昇した水防板を降下させる場合には控え柱をラチェットから持ち上げて外し控え柱を水平にもとの格納位置にセットする。【選択図】図２
2004360429.tif 000002
【特許請求の範囲】
【請求項１】
従来の浮力による水防板は規模が大型化すると転倒に対する対策が必要となる。従来の浮力による水防板の蓋の下部にヒンジ（３）を取り付けヒンジに水防板（４）の上昇に伴い追随する可動式控え柱（１）を取り付ける。可動控え柱（１）の下部には後戻りをさせないラチェット（２）を埋め込んでおく。控え柱（１）の上端には舗装面と同一レベルになるふかし部分を設ける。浮上式水防板の原理は浸水してくる侵入水を１次槽（５）で受け、通常の雨量は格納槽（６）には入れない。
【発明の詳細な説明】
【０００１】
【発明の属する技術分野】本発明は建築物、工作物等への浸水を防ぐ為、生活上で求められるものです。
【０００２】
【従来の技術】従来の水防板は規模が６メートル前後であり、両側のガイドで水防板の転倒は防げるが大規模化すると、経済性等から対応出来ない。
【０００３】
【発明が解決しようとする課題】大型浮力による水防板を浮上させ、水圧による転倒を安全かつ、経済的に安価に防ぐ必要がある。
【０００４】
【課題を解決する為の手段】水防板の長さに応じて、長さの中間に水防板の蓋の下部の上部に回転ピンを取り付け、そのピンに水防板の浮上に追随して一端が上昇し他端部はラチェットの上を追随してスライドする可動式控え柱を取り付ける。
水防板を下降させる場合には下端部を持ち上げてラチェットから端部を外す。
【０００５】
【発明の実施の形態】侵入水で浮上して浸水を防ぐ為の大型の浮上式水防板を水圧による破壊、転倒から機能を果たし、かつ、経済的に安価に目的を果たす為に水防板の長さに応じて必要な数の浮上に連動する可動式控え柱を請求項１のとうりのシステムとなる控え柱を水防板に取り付ける。
可動式控え柱は舗装面等のレベルに格納する必要がある為に控え柱が格納され、溝が舗装面に出ぬように格納された柱の水平面上にふかした、柱と一体の材を取り付ける。
【０００６】
【発明の効果】浮力による大型水防板の長さの規制制限が著しく経済的に安価に拡大し、安全性も安価に高まる。
今迄は、侵入水の浮力による水防板は長さ１０メートル程度が経済的、納まり等の上からも限度でしたが、この、可動式控え柱付大型浮力による水防板は飛躍的に長さ、高さの経済的限界を拡大する事が出来る。
豪雨による浸水被害の特徴は瞬間的といえる程に急激な為に、従来の水防板では一般的に対応が間に合わない事がある。
【図面の簡単な説明】
【図１】浮上式水防板が浮力により浮上していない断面図
【図２】浮上式水防板が浮力により浮上し可動式控え柱が立ち上がり、水圧に対とてサポートしている断面図
【符号の説明】
１．可動式控え柱
２．控え柱の逆戻りを止めるラチェット
３．控え柱が浮上式水防板蓋下を支持する回転ピン
４．浮上式水防板
５．浮上式水防板の注入用侵入水を受ける１次槽排水溝
６．浮上式水防板の格納槽
【図１】
2004360429.tif 000003
【図２】
2004360429.tif 000004
(57)【要約】      （修正有）【課題】道路高架橋、鉄道橋、ダム等の鉄筋の曲げ方、コンクリート外部の温度調節、透明の錆び止めを塗り、コンクリートの破壊又は、鉄筋の切断を防止を提供する。【解決手段】フープ筋の曲げ方を直角（９０°）でなく多角形な曲げ方をすれば鉄筋の亀裂が防げる。鉄筋を組む前に透明な錆び止めを塗ることによって錆を防ぐことができる。型枠をとった後に外側に防水防湿断熱真空材を被いエアコン真空ポンプで温度調節をすればコンクリート内部の鉄筋の切断は防ぐことができる。ジョイントは圧接か現行の工法でよい。【選択図】図１
2004360426.tif 000002
【特許請求の範囲】
【請求項１】
１  高速道路  高架橋  ダム  一般建築  橋桁などコンクリート内の鉄筋に使用するフープ筋は主筋について曲げ方をかえることにより、強度を保つことが出来る。
２  コンクリートの膨張  収縮  科学変化を防ぐため保湿や保温等を真空材によって管理することを特徴とする。
３  鉄筋に透明な錆び止めを塗る。
（ウォッシュプライマー）鉄骨材も含む。
【発明の詳細な説明】
【０００１】コンクリートの内部の鉄筋材として形成されるフープ筋の曲げ角度を現在は９０°に曲げている。
（現在の９０°に曲げる形状は角に力が集中することを避けるために考案されたものである。）
この９０°に曲げている角の部分を切り落とした形状に加工すると強度が出る。
この形状に変更することにより、９０°に曲げていたときに発生していた角の切断が防げる。
コンクリートの外部は保護部材による適切な温度設定により亀裂もできなくなる。
又透明の錆び止めを塗ることで錆の膨張をおさえることが出来る。
〔発明の属する技術分野〕
【０００２】コンクリート分野
〔従来の技術〕
【０００３】今日は（フープ）鉄筋を直角（９０°）に曲げた形状で施工がおこなわれている。
錆はそのままで埋められている。
〔発明が解決しようとする課題〕
【０００４】コンクリートの亀裂又はフープ筋の角の切断を防止する。
〔発明の実施形態〕
【０００５】本発明の図形態と添付図面に基づいて詳細に説明する。
コンクリート本体▲１▼を鉄筋を組むそのフープ筋▲２▼を組む時に▲９▼を曲げたフープ筋を取り付けた後に型枠を組み付け後、生コンを入れる。
又つなぎ止めは従来と同じである。
〔実施例〕
【０００６】鉄筋を入れる前後に錆び止めを塗る。
透明のものを塗る。図▲１▼の本体の鉄筋を組み図３の▲９▼フープ筋を後に外型枠を組んだ後に生コンクリートを入れる。
型枠をばらした後に▲７▼の補強材を取り付け。
▲４▼の防水断熱材真空材を取り付け。
▲６▼の真空ポンプ▲８▼の電源を設けて温度設定をする。
〔発明の効果〕
【０００７】
請求項１の記載１の記載の説明
フープ筋を９０°というかなり鋭角に曲げてしまったたために、材質そのものの強度が、曲げ加工をしない状態にくらべて低下。
そして、環境の変化によって科学変化又は膨張収縮が何回か発生した後、角が亀裂又は切断してしまう。
しかし図３の▲９▼に記した曲げ形状でフープ筋の形成を行うと角の亀裂又は切断が防げる。
▲９▼の曲げ方だと鋭角に曲げる部分が少なく、曲げ加工によって生じる材質そのものの劣化が９０°といった鋭角に曲げてしまう従来の工法に比べて少なくできる。
また従来に比べて鈍角に曲げることによって応力の分散が可能になる。
その結果、従来の施行方法を比較して、より科学変化、膨張、収縮などにも耐えうる。
請求項２の記載の説明
コンクリート外側に防水防湿断熱真空材などの設置により温度設定をおこなう。
これにより科学変化、膨張収縮を防ぐ効果がある。
請求項３の記載の説明
鉄筋加工前後にウォッシュプライマー、透明な錆び止めを塗る。
このことにより、錆の膨張増大によってひき起こされるフープ筋（鉄骨材も含む）などの切断が防げる。
【図面の簡単な説明】
【図１】正面図
【図２】断面図
【図３】拡大図
▲１▼本体コンクリート
▲２▼フープ筋
▲３▼道路又は軌道
▲４▼防水防湿断熱真空材
▲５▼エアコン
▲６▼真空ポンプ
▲７▼パイプ
▲８▼電源
▲９▼新フープ筋
▲１０▼手摺
▲１１▼固定材
【図１】
2004360426.tif 000003
【手続補正書】
【提出日】平成15年9月9日(2003.9.9)
【手続補正１】
【補正対象書類名】図面
【補正対象項目名】全図
【補正方法】変更
【補正の内容】
【図１】
2004360426.tif 000004
【図２】
2004360426.tif 000005
【図３】
2004360426.tif 000006
(57)【要約】【課題】浮力による水防板の注水口がグレーチングや格子蓋等で通常の通行面にあると通行に支障を来し、時には危険な為に、そのような注水口は美観上からも避ける事が求められている。浮上式水防板はわずかな浮上時には気づかずに、つまづく危険があります。【解決手段】浮力による浮上式水防板（１）の両側のガイドフレーム（３）を受ける壁又は袖壁の下部に注水口（４）を設けて侵入水を注水し、通行部分には侵入水を注水する為のグレーチングや格子蓋は設けない。侵入水を注水口（４）に誘導する為に通行部分はバリアフリーの範囲でスロープ（６）を設ける。スロープ（６）の高い部分を侵入水が超る危険が及ばぬ範囲で注水口（４）の下端は多少上げとく事により多少の侵入水では水防板（１）が作動しないようにし、異状な危険状態に於てのみ水防板は作動するようにする。又、水防板のわずかな浮上時には水防板の前後がスロープになるようにフラップ（２）を設ける。斜視図は歩道等からのエレベーター前の様子ですが、地下等への階段出入り口等共通です。【選択図】図１
2004360430.tif 000002
【特許請求の範囲】
【請求項１】
浮力式水防板（１）は両側側面にガイドフレーム（３）が設けられますが、ガイドフレーム（３）を取り付ける両側の壁又は袖壁の下の部分を浮かして、その部分にゴミよけの一段上がった縁をつけた水平ガラリを付けた注水口（４）。
注水口から入った侵入水は、排水バルブ又は排水ポンプが入る１次槽（５）に入ってから浮上式水防板の入った格納槽に入る。通行部分はバリアフリー等に支障の無い範囲で急激な浸水を一時的に防ぐ為に勾配を付けてスロープ（６）にして上げ、注水口へ先に侵入水を誘導する。注水口の下枠の高さをスロープの高い部分より適度に低くしとけば一定量の侵入水以上でなければ浮上式水防板を作動させない。従来の二槽式水防板の注水口の改良型です。
【請求項２】
従来の浮力による水防板は初期の浮上時や、わずかしか浮上しなかった時には歩行者がつまづく危険があります。そこで水防板の蓋の部分の前後につまづかぬように傾斜となるフラップ（２）を設ける。
【発明の詳細な説明】
【０００１】
【発明の属する技術分野】本発明は建築物、工作物等への浸水を防ぐ為、生活上で求められるものです。
【０００２】
【従来の技術】浮力式水防板の前面に水防板が浮力で浮上する為の注水口にあたるグレーチング蓋を設けた一次槽を設けてある。又、水防板が侵入水がわずかで浮上もわずかの場合にはつまづく危険がある。
【０００３】
【発明が解決しようとする課題】浮力による水防板を浮上させる為の侵入水を水防板の格納槽に注水する為の注水口が普段の通行面にあるのが従来のタイプである為に機能的及び美観的に改善が設置場所により求められている。又、水防板の浮上がわずかの場合にはつまづく危険がある。
【０００４】
【課題を解決する為の手段】請求項１で示した構成により、両側の壁又は袖壁下部に設けた注水口によれば、通行面にはグレーチングや格子蓋が不要になり、通行上や美観上の改善がはかられる。壁又は袖壁下部に設けたルーバー付注水口の下端の枠寸法の調整により一定量以上の侵入水が浸水してこなけば侵入水は水防板の格納槽には入らない。通行部分のスロープの高い部分は侵入水を注水口に先に誘導する為に必要な注水口下端のレベルより高い。水防板の蓋にあたる部分の前後にわずかな浮上の場合に気づかずにつまづかぬようにフラップを取り付ける。
【０００５】
【発明の実施の形態】侵入水の浮力で浮上する水防板の蓋のレベル迄スロープで上がる。スロープの下のレベルから上のレベルの間の両側の袖壁等の下端に下枠を多少上げて注水口をガラリを取り付けて設置する。水防板の蓋部分にはわずかな浮上の際に歩行者がつまづかぬようフラップを設ける。注水口のガラリは環境により自由に選択可。
【０００６】
【発明の効果】地下鉄や地下街等への歩道からの出入り口は非常に歩行上危険な場所である為に浸水を防ぐ為の格子蓋やグレーチング類の上は歩きにくく、美観上も好ましく無く、避けたい要望があります。又、豪雨等の際の浸入水を防ぐには浸入水により自動的に浮上する水防板でないと対処が遅れ危険をいち早く避ける事は出来ません。
しかし、浮上式水防板は浸入水を受け入れ、その浮力を利用して水防板を立上げる為に通行面にグレーチングや格子蓋等の注水口を従来は設けねばなりませんでしたが、本発明により普段の通行面には格子蓋やグレーチングは必要ありません。浮上式水防板には両側に壁や袖壁が必要である為にその下部に注水口を設ければ問題は解決します。水防板の蓋の部分にフラップをつければわずかな浮上時のつまづきが防止出来ます。
【図面の簡単な説明】
【図１】水防板が浮上していない斜視図
【図２】Ａ水防板が僅かに浮上しフラップが傾斜した斜視図
【図３】水防板が浮上しきった斜視図
【図４】従来の浮上式水防板の浮上していない格納時の断面図
【図５】同上の水防板の浮上時の断面図
【符号の説明】
１．浮上式水防板
２．フラップ
３．ガイドフレーム
４．壁又は袖壁下部の注水口
５．注水口かの侵入水の１次槽（格納槽より深くして土溜まり、及び、排水ポンプ又は排水バルブを設置する槽で２次槽へオーバーフロー水を導入する槽）
６．スロープ
７．浮上板作動時の警報ブザー付ランプ
【図１】
2004360430.tif 000003
【図２】
2004360430.tif 000004
【図３】
2004360430.tif 000005
【図４】
2004360430.tif 000006
【図５】
2004360430.tif 000007
(57)【要約】【課題】目隠し日除け効果のある網戸を提供する。【解決手段】網戸構体３に対し規則的な多数の穴が空いたおもて面が明色、うら面が暗色のシート材１を従来の網戸用網２に重ね貼り又は、網のかわりに貼り込む構成を特徴とする。【選択図】図１
2004360437.tif 000002
【特許請求の範囲】
【請求項１】
（イ）網戸の網部分に規則的な多数の穴が空いたおもて面が明色、うら面が暗色のシート材を付加、貼り込み施工する。
（ロ）網戸の網のかわりに規則的な多数の穴が空いたおもて面が明色、うら面が暗色のシート材を貼り込み施工する。
（ハ）網戸構体の屋外側の面又は、屋内側の画のどちらか一平面全体に規則的な多数の穴が空いたおもて面が明色、うら面が暗色のシート材を貼り込み施工する。
以上の構成よりなる目隠し日除け網戸。
【発明の詳細な説明】
【０００１】
【発明の属する技術分野】
この発明は、網戸に規則的な多数の穴が空いたおもて面が明色、うら面が暗色のシート材を貼り込み施工する目隠し日除け網戸に関するものである。
【０００２】
【従来の技術】
従来の網戸では防虫、通気効果は得られても目隠し日除け効果はあまり得られず網戸使用時に目隠し及び、日除けの為にレースカーテン等を併用する事が多かった。  又、従来の網戸に目隠し効果をもたせる技術は構造が複雑であった。
（たとえば特許文献１及び、特許文献２参照）
【０００３】
【特許文献１】特開２００１−３２６５４号広報
【特許文献２】特開２００２−１２９８５３号広報
【０００４】
【発明が解決しようとする課題】
従来の網戸では得られなかった目隠し、日除け効果を網戸にもたせる為になされたものである。
【０００５】
【課題を解決するための手段】
本発明は網戸構体３に対し規則的な多数の穴が空いたおもて面が明色、うら面が暗色のシート材１を従来の網戸用網２に重ね貼り又は、網のかわりに貼り込む構成よりなる目隠し日除け網戸である。
【０００６】
【発明の実施の形態】
規則的な多数の穴が空いたおもて面が明色、うら面が暗色のシート材を網戸に重ね貼り又は、網のかわりに貼り込む構造で、このシートを貼り込む際には網戸の屋外側がシートの明色面、屋内側がシートの暗色面となる様に貼り込み施工を行う。
【０００７】
【発明の効果】
規則的な多数の穴が空いたおもて面が明色、うら面が暗色のシート材は、光りの反射率の違いによりシートの明色側からはその反対側の空間が見えにくく、シートの暗色側からはその反対側の空間が見えやすいという効果をもっており、これを網戸に貼り込み施工する事により従来の網戸の通気、防虫機能にさらに目隠し日除けの効果も備えた網戸が生まれました。
【０００８】
【図面の簡単な説明】
【図１】本発明の網戸にシート材を重ね貼りをする構成を示した分解斜視図である。
【図２】本発明の網戸の網のかわりにシート材を貼り込む構成を示した分解斜視図である。
【符号の説明】
１  規則的な多数の穴が空いたおもて面が明色、うら面が暗色のシート材
２  従来の網戸用網
３  網戸の構体
【図１】
2004360437.tif 000003
【図２】
2004360437.tif 000004
(57)【要約】      （修正有）【課題】窓枠から網戸が外れないようにする網戸の落下防止装置を提供する。【解決手段】本体フレーム１はＬ字形である、この本体フレーム１に立上り部１Ａと、切欠き部１Ｂを設け網戸８を収納した窓枠７、において、網戸８の下桟部８Ａを本体フレーム１の立上り部１Ａが、覆うようにして下枠７Ａに固定する。本体フレーム１の立上り部１Ａは網戸８が乗り越えられない適宜の高さを持っているので網戸が外れる事がない。また本体フレーム１に胴縁材２を介在させて丁番５、ブラケット４、ラッチ３を配設して網戸８を制御するものである。【選択図】        図１
2004360431.tif 000002
【特許請求の範囲】
【請求項１】
本体フレーム（１）に立上り部（１Ａ）と切欠き部（１Ｂ）を設け，前記本体フレーム（１）に胴縁材（２）を介在させて，丁番（５）ブラケット（４）と，ラッチ（３）を配設する，前記本体フレーム（１）は網戸（８）を収納した窓枠（７）の下枠（７Ａ）に取付けた、本体フレーム（１）の立上り部（１Ａ）が、網戸（８）の下桟部（８Ａ）を任意の高さで覆うように窓枠（７）に並設した事を特徴とする網戸の落下防止装置。
【発明の詳細な説明】
【０００１】
【発明の属する技術分野】
本発明は網戸が人の不注意による取り扱い，又は，強風や地震などで窓枠より外れ落下することがないように防止する網戸の落下防止装置に関するものである。
【０００２】
【従来の技術】
従来，網戸は上桟部分の摺動ブロックが窓枠上のレールを挟み，下桟の戸車が窓枠下のレールを挟み込んでいる，網戸が脱落しないようにするには、網戸の上下桟についている外れ止め調整ネジで天地を広げて調整している。
又，網戸の落下防止としては、網戸の落下防止材の装置が使用されている。（例えば特許文献１参照）
【０００３】
この場合の，網戸の落下防止材は着脱自在に固定されており又，網戸が網戸レールより外れた時に網戸を受け止める構造の落下防止材が固定されている、その形状は上ひろがりであり、しかも網戸を着脱するには該、落下防止材本体を固定しているねじを、螺入して落下防止材本体をおろすわずらわしさがある。
【０００４】
【特許文献１】
特開平９−２５７７３号公報
【０００５】
【発明が解決しようとする課題】
網戸は軽い材料で作られており，強風などにより左右に移動いたり，しなりや，ゆがみが発生して窓枠から脱落することがあった、人の不注意または、清掃のときや、地震などで建物の振動により窓枠から外れ落下する可能性がある。特に２階以上の階に設置してある窓枠より網戸が落下した場合などは、通行中の人や物にあたる被害が発生し得る。
【０００６】
本発明は，上記背景より網戸の落下防止装置を提供することを目的としている。
【０００７】
【課題を解決するための手段】
本発明に係る網戸の落下防止装置は、以上のような課題を解決するものであって、次のようなものである。
本体フレームはＬ字形である、この本体フレームに立上り部と切欠き部を設け網戸を収納した窓枠において、網戸の下桟部を本体フレームの立上り部が覆うようにして窓枠の下枠に固定する，本体フレームの立上り部は網戸が乗り越えられない適宜の高さを持っているので、網戸が外れる事がない。
【０００８】
該，本体フレームに胴縁材を介在させて丁番，ブラケット，ラッチを配設して網戸を制御するものである。
【０００９】
本発明の落下防止装置は、網戸を窓枠の片側によせ、回動自在の丁番でラッチのスライド部分を網戸の堅框側面の溝に合わせ挿入することで網戸を開閉しないように固定するとともに網戸レールから外れないように支持する。
【００１０】
【発明の実施の形態】
本発明の網戸の落下防止装置は，図１に示すように，網戸８を収納した窓枠７の下枠７Ａに胴縁材２を、介在して本体フレーム１が網戸８の下桟部８Ａを、任意の高さで覆うように窓枠７の下枠７Ａに取付けたものであり，網戸８は本体フレーム１に，押さえられて外れる事ができない。
【００１１】
本発明は，図１と図２に示すように本体フレーム１に胴縁材２を、介在させて丁番５、ブラケット４、およびラッチ３を、容易に取付け形成した。回動自在の丁番５で、ラッチ３のスライド部を網戸の堅框側面の溝８Ｃに、挿脱し易くすることが出来る，該、ラッチ３のスライド部を堅框側面の溝８Ｃに、挿入すれば網戸８は，左右に開閉できなくなり固定される又網戸８が、上下に動かないように固定される。
【００１２】
前記ラッチ３の，スライド部を網戸８の、堅框側面の溝８Ｃ、より抜いて丁番５を、窓枠７の、外側に倒すことで網戸８が、開閉自在に出来る又、本体フレーム１に、切欠き部１Ｂが、設けてあることで網戸８や、サッシ戸を，網戸の落下防止装置のない方に移動すれば、該、戸の取り外しが自由にできる。
【００１３】
前記、網戸の落下防止装置は、網戸８の、幅プラス、ラッチ３の、幅ぶんの適宜長さがあれば良い、また図１に示したように窓枠７の、上枠７Ｂに、上本体フレーム９を、網戸８の、上桟部８Ｂを覆設すればより完全なことはいうまでもない。
【００１４】
【発明の効果】
網戸の落下防止装置は、網戸の下桟部分をＬ字形の立上り部をもつ。本体フレームで押さえるように設けており、網戸がこの本体フレームを乗り越えられない高さに設定されており外れる事がない、またラッチ等で網戸を固定されるので落下防止はもちろん風などによる網戸が半開きの状態になることもなく美観も良い網戸の落下防止装置である。
【図面の簡単な説明】
【図１】・・・網戸の落下防止装置を設置した場合の立面図である。
【図２】・・・落下防止装置の要部を示す正面図である。
【図３】・・・落下防止装置の要部を示す側面図である。
【図４】・・・網戸と落下防止装置の関係を示した従断面図である。
【符号の説明】
１・・・本体フレーム、  １Ａ・・・本体フレームの立上り部  １Ｂ・・・本体フレームの切欠き部、  ２・・・胴縁材、  ３・・・ラッチ、  ４・・・ブラケット、  ５・・・丁番、  ６・・・ネジ、  ７・・・窓枠  ７Ａ・・・下枠、７Ｂ・・・上枠、  ８・・・網戸、  ８Ａ・・・下桟部、  ８Ｂ・・・上桟部、  ８Ｃ・・・堅框側面の溝、  ９・・・上本体フレーム、
【図１】
2004360431.tif 000003
【図２】
2004360431.tif 000004
【図３】
2004360431.tif 000005
【図４】
2004360431.tif 000006
(57)【要約】【課題】トンネル工法におけるボルトボックスに蓋をするためには、アンカーを打つ必要があり、その為には、電気配線やガスの配管から粉塵処理まで多くの手間と時間を必要とした。【解決手段】ボルトボックス内のボルトに当発明のベルト部を設置し、棒状ネジの端部に蓋を固定することにより、電気配線やガス配管を不要にするばかりか、粉塵処理もなくし、安金性を増し、工期と工費の大幅な削減を可能にする。【選択図】  図３
2004360436.tif 000002
【特許請求の範囲】
【請求項１】
バンド（１）と棒状のネジ（２）からなるボルトボックス用蓋の取り付け金具。
【請求項２】
締め付け部分（３）を有したバンド（１）とＬ型に曲げられた棒状のネジ（２）からなるボルトボックス用蓋の取り付け金具。
【請求項３】
締め付け部分（３）を有したバンド（１）とＬ型に曲げられた棒状のネジ（２）からなるボルトボックス用蓋の取り付け金具において、締め付け部分（３）とＬ型に曲げられた棒状のネジ（２）が６０度から＋−３０度の範囲内の角度で取り付けられているもの。
【発明の詳細な説明】
【０００１】本発明は、セグメントの連結部分であるボルトボックスの蓋取り付けに関する金具および工法であり、締め付け部分（３）を有したバンド（１）をボルトボックス内部にあるボルトに設置し、Ｌ型に曲げられた棒状のネジ（２）の尖端にボルトボックス用蓋を設置するものである。
【発明の属する技術分野】
【０００２】トンネル工事のセグメント工法におけるボルトボックス用蓋の金具および取り付け工法に関するもの。
【従来の技術】
【０００３】トンネル工事のセグメント工法における連結部のボルトボックスには、地下水によるボルトの腐食を防ぐために充填剤を用いることから充填剤がたれることを防ぐための蓋が不可欠である。さらにその蓋を取り付けるためにボルトボックス内にアンカーを打つ必要があった。
【発明が解決しようとする課題】
【０００４】当発明は、ボルトボックス内にアンカーを打つ必要を無くすことにより、電気ケーブル及び切断用ガス設備の移動や粉塵処理を不要とし、尚且つトンネル内に発生する有毒ガスや火花の発生をなくし、工期と工費を短縮するものである。
【課題を解決するための手段】
【０００５】セグメントの連結部分であるボルトボックス内の連結ボルト（４）に当発明の締め付け部分（３）を有したバンド（１）を設置し、Ｌ型に曲げられた棒状のネジ（２）の尖端にボルトボックス用蓋（６）を設置することで蓋の脱落防止と設置を行うものである。
【発明の実施の形態】
【０００６】トンネル工事のセグメントの連結部分であるボルトボックス（７）内の連結ボルト（４）に当発明の締め付け部分（３）を有したバンド（１）を設置し、Ｌ型に曲げられた棒状のネジ（２）の尖端にボルトボックス用蓋（６）を設置することで蓋の脱落防止と設置を行う。
【実施例】
【０００７】第１図は、正面図
【０００８】第２図は、側面図
【０００９】第３図は、アイソメティック・パース
【００１０】第４図は、設置図
【発明の効果】
【００１１】
当発明は、ボルトボックス内にアンカーを打つ必要を無くすことにより、電気ケーブル及び切断用ガス設備の移動や粉塵処理を不要とし、尚且つトンネル内に発生する有毒ガスや火花の発生をなくし、安全性を増し、工期と工費を短縮するものである。
【図面の簡単な説明】
【第４図】本発明のベルト部によりボルトボックス（７）内にあるボルト（４）に設置し、Ｌ型棒状のネジ端部に蓋（６）を固定することにより、蓋の固定と脱落を防止する。
【符号の説明】
１：ベルト部
２：棒状ネジ部
３：ベルト締め付け部
４：ボルトボックス内のボルト
５：蓋固定部
６：ボルトボックス用蓋
７：ボルトボックス
【図１】
2004360436.tif 000003
【図２】
2004360436.tif 000004
【図３】
2004360436.tif 000005
【図４】
2004360436.tif 000006
【手続補正書】
【提出日】平成15年8月25日(2003.8.25)
【手続補正２】
【補正対象書類名】明細書
【補正対象項目名】図面の簡単な説明
【補正方法】変更
【補正の内容】
【図面の簡単な説明】
【図１】正面図
【図２】側面図
【図３】アイソメトリック・パース
【図４】設置断面図
【符号の説明】
１：ベルト部
２：棒状ネジ部
３：ベルト締め付け部
４：ボルトボックス内のボルト
５：蓋固定部
６：ボルトボックス用蓋
７：ボルトボックス本件手続をしたことに相違ありません。